(57)【要約】【課題】蓋体の下面全体に鏡を配設することのできる密閉容器を提供する。【解決手段】上面に化粧料収容凹部１ａが形成された容器本体１と、上記容器本体１の全体を蓋する蓋体２と、閉蓋状態で上記化粧料収容凹部１ａのみを気密状に蓋しうる蓋部１５とを備えている。そして、この蓋部１５を上記蓋体２の一側部に、上記化粧料収容凹部１ａに対向させるようにして回動自在に取り付け、閉蓋状態では、上記化粧料収容凹部１ａのみを気密状に蓋し、開蓋状態では、上記蓋部１５を回動させて、上記化粧料収容凹部１ａに対向する位置から上記蓋体２の外側位置に移動可能に構成している。【選択図】図３
2005279092.tif 000002
【特許請求の範囲】
【請求項１】
上面に内容物収容凹部が形成された容器本体と、上記容器本体の全体を蓋する蓋体と、閉蓋状態で上記内容物収容凹部のみを気密状に蓋しうる蓋部とを備え、この蓋部を上記蓋体の一側部に、上記内容物収容凹部に対向させるようにして回動自在に取り付け、閉蓋状態では、上記内容物収容凹部のみを気密状に蓋し、開蓋状態では、上記蓋部を回動させて、上記内容物収容凹部に対向する位置から上記蓋体の外側位置に移動可能に構成したことを特徴とする密閉容器。
【請求項２】
上記蓋部が、ゴム材料もしくはゴム系樹脂材料で一体成形され、蓋体の一側部に固定される固定部と、内容物収容凹部を気密状に蓋しうる蓋本体部と、この蓋本体部を上記固定部に回動自在に連結する連結部とからなる請求項１記載の密閉容器。
【発明の詳細な説明】
【技術分野】
【０００１】
本発明は、揮発性の高い化粧料等の内容物を収容するのに適した密閉容器に関するものである。
【背景技術】
【０００２】
従来から、揮発性成分を含有する化粧料を収容する化粧料容器等の密閉容器として、その内部の気密性を保つために、図１０に示すようなコンパクト容器が提案されている。このコンパクト容器は、容器本体３１と、この容器本体３１の後端部にヒンジ連結される蓋体３２と、内部に化粧料３３ａが収容された化粧皿３３とを備えており、上記容器本体３１の上面前部に上記化粧皿３３が配設されているとともに、上面後部に、パフ３４ａを収容するパフ収容部３４が形成されている。また、上記蓋体３２の下面前部に、上記化粧皿３３の上面を蓋する化粧皿用蓋部３５が設けられているとともに、下面後部に鏡３６が貼着されている。そして、上記化粧皿用蓋部３５の上面にパッキン３７が貼着されており、閉蓋状態では、上記パッキン３７で化粧皿３３の内部を気密状に密封するようにしている（例えば、特許文献１参照）。
【特許文献１】実開平８−２３８１２３号公報
【発明の開示】
【発明が解決しようとする課題】
【０００３】
しかしながら、上記のコンパクト容器では、蓋体３２の下面前部に化粧皿用蓋部３５を設けているため、蓋体３２の下面後部のスペースにしか鏡３６を配設することができず、鏡３６が小さくなる。したがって、使用時に、鏡３６を見みても、顔等が見にくく（例えば、鏡３６に顔等の全体が写らず、また、顔等の全体を鏡３６に写すために、顔等から鏡３６を遠くに離さないといけなくなる）、化粧がしにくいという問題がある。
【０００４】
本発明は、このような事情に鑑みなされたもので、蓋体の下面全体に鏡を配設することのできる密閉容器の提供をその目的とする。
【課題を解決するための手段】
【０００５】
上記の目的を達成するため、本発明の密閉容器は、上面に内容物収容凹部が形成された容器本体と、上記容器本体の全体を蓋する蓋体と、閉蓋状態で上記内容物収容凹部のみを気密状に蓋しうる蓋部とを備え、この蓋部を上記蓋体の一側部に、上記内容物収容凹部に対向させるようにして回動自在に取り付け、閉蓋状態では、上記内容物収容凹部のみを気密状に蓋し、開蓋状態では、上記蓋部を回動させて、上記内容物収容凹部に対向する位置から上記蓋体の外側位置に移動可能に構成したという構成をとる。
【発明の効果】
【０００６】
すなわち、本発明の密閉容器は、閉蓋状態で容器本体の内容物収容凹部のみを気密状に蓋しうる蓋部を、容器本体の全体を蓋する蓋体の一側部に、上記内容物収容凹部に対向させるようにして回動自在に取り付けている。そして、閉蓋状態では、上記蓋部で上記内容物収容凹部のみを気密状に蓋し、開蓋状態では、上記蓋部を回動させて、上記内容物収容凹部に対向する位置から上記蓋体の外側位置に移動可能に構成している。したがって、不使用時には（閉蓋状態では）、内容物収容凹部を気密状に蓋することができる。一方、使用時には（すなわち、開蓋状態では）、上記蓋部を蓋体の外側位置に移動させることができ、これにより、上記蓋体の下面の、上記内容物収容凹部に対向する部分に、利用可能なスペースができる。したがって、このスペースを利用し、上記蓋体の下面全体に鏡を設けることで、鏡が大きくなり、鏡で顔等が見やすくなり、化粧がしやすくなる。
【０００７】
また、上記蓋部が、ゴム材料もしくは弾性を有する樹脂材料で一体成形され、蓋体の一側部に固定される固定部と、内容物収容凹部を気密状に蓋しうる蓋本体部と、この蓋本体部を上記固定部に回動自在に連結する連結部とからなると、固定部と蓋本体部と連結部とが一体化されるため、部品点数が少なくなり、在庫管理等の管理面が簡素化される。
【発明を実施するための最良の形態】
【０００８】
つぎに、本発明の実施の形態を図面にもとづいて詳しく説明する。
【０００９】
図１および図２は本発明の密閉容器の一実施の形態を示している。これらの図において、１は上面に化粧料収容凹部１ａおよびパフ収容凹部１ｂが形成された合成樹脂製の容器本体で、２は上記容器本体１の上面全体を蓋する合成樹脂製の蓋体で、３は上記容器本体１の化粧料収容凹部１ａの底面上に接着剤（図示せず）により接着，固定された金属製もしくは合成樹脂製の化粧皿であり、その内部に化粧料３ａが収容されている。図１において、５は上記化粧料収容凹部１ａの底壁に穿設された貫通孔であり、化粧料収容凹部１ａから化粧皿３を取り外す際に利用される。
【００１０】
上記蓋体２には、その裏面の略全面（すなわち、化粧料収容凹部１ａおよびパフ収容凹部１ｂに対向する部分）に、鏡６が接着剤（図示せず）により接着，固定されている。また、上記蓋体２には、その裏面の外周縁部（後縁部を除く）から外周側壁が下向きに突設されており、その左側壁１４の下面の前後方向中央部分に凹部１４ａ（図３および図４参照）が、上記左側壁１４を左右に貫通する状態で切り欠き形成されている。そして、上記凹部１４ａに、上記蓋部１５が接着剤（図示せず）により接着，固定されている。この蓋部１５は、ゴム材料（例えば、シリコンゴム，ウレタンゴム）を用い、金型成形により一体成形されたものであり、上記蓋体２にインサート成形により一体成形されている。
【００１１】
また、上記蓋部１５は、図５および図６に示すように、上記蓋体２の左側壁１４の凹部１４ａの天井面に接着，固定される平板状の固定板部１６と、この固定板部１６に回動連結部１７を介して（上記蓋体２の左側壁１４に対し直交する方向に）回動自在に連結される係合部１８と、この係合部１８に連結部１９を介して連結される平板状の蓋本体部２０（この蓋本体部２０は、図７に示すように、上記鏡６の略左側半分の前側に配設される）と、この蓋本体部２０の裏面の外周縁部から下向きに突設される環状当接部２１とで構成されており、閉蓋状態では、上記蓋本体部２０で化粧料収容凹部１ａの上面開口を蓋し、上記環状当接部２１で化粧料収容凹部１ａ内を気密状態に保持するようにしている。また、上記係合部１８には、その相対向する両側面（この実施の形態では、前後両側面）に前後一対の係合凸部１８ａが形成されており、これら両係合凸部１８ａが、上記凹部１４ａの相対向する両側面（この実施の形態では、前後両側面）に形成された前後一対の係合凹部１４ｂ（図４参照）に着脱自在に係合している。そして、開蓋したのち、上記係合を外し、上記蓋部１５をその回動連結部１７を中心に回動させて蓋体２の外側に移動させると、上記鏡６の全面が外部に露呈するようになる（図８および図９参照）。
【００１２】
また、上記蓋体２には、その前端部に係合爪部２ａが下向きに突出形成されており、上記容器本体の（前端部に形成された）前側凹部１１の奥壁面に形成された係合凸部１１ａに着脱自在に係合している（図１参照）。また、上記蓋体２の後端部から連結部２ｂが垂下しており、上記容器本体１の（後端部に形成された）後側凹部１２にヒンジ軸４を介してヒンジ連結されている。図１において、７は上記容器本体１の前側凹部１１に配設された開蓋用のフックピースである。また、図２において、８は上記パフ収容凹部１ｂに収容されるパフで、９は上記パフ収容凹部１ｂの底壁に穿設された多数の貫通孔である。
【００１３】
上記の構成において、不使用時には、容器本体１の上面開口を蓋体２で蓋することを行う。この閉蓋状態では、上記蓋部１５の蓋本体部２０の上面が鏡６の下面で下方に押圧されており、これにより、上記蓋本体部２０で化粧料収容凹部１ａの上面開口を蓋するとともに、環状当接部２１の下面が化粧料収容凹部１ａの外周側壁の上面に気密状に当接して化粧料収容凹部１ａ内を気密状態に保持することができる。一方、使用時には、蓋体２を後方に回動させて開蓋し、この開蓋状態で上記蓋部１５の回動連結部１７を中心に回動させて上記蓋部１５を蓋体２の外側に移動させたのち、化粧等を行う。この状態では、上記鏡６の全面が外部に露呈しており、鏡６を見ての化粧がしやすい。
【００１４】
このように、上記実施の形態では、使用時には、開蓋状態で蓋部１５を蓋体２の外側に移動させることができるため、上記蓋体２の全面に設けた鏡６で顔等を見ることができ、化粧がしやすい。
【００１５】
なお、上記実施の形態では、蓋体２を作製する際に、インサート成形により、蓋体２と蓋部１５とを同時に一体化しているが、これに限定するものではなく、蓋体２と蓋部１５とを別々に作製したのち、蓋体２に蓋部１５を接着，固定等してもよい。また、蓋部１５の環状当接部２１として、蓋本体部２０とは別体に作製したパッキン，環状弾性体等を用いてもよい。また、蓋部１５の材料として、ゴム材料を用いているが、ゴム材料以外の弾性材料（例えば、気密性，弾性を有する樹脂材料，エラストマー）等を用いてもよい。
【図面の簡単な説明】
【００１６】
【図１】本発明の密閉容器の一実施の形態を示す断面図である。
【図２】上記密閉容器の要部の断面図である。
【図３】上記密閉容器の要部の断面図である。
【図４】蓋部の要部の断面図である。
【図５】上記蓋部の平面図である。
【図６】上記蓋部の側面図である。
【図７】上記蓋部の作用を示す平面図である。
【図８】上記蓋部の作用を示す平面図である。
【図９】上記蓋部の作用を示す断面図である。
【図１０】従来例を示す斜視図である。
【符号の説明】
【００１７】
１  容器本体
１ａ  化粧料収容凹部
２  蓋体
１５  蓋部
【図１】
2005279092.tif 000003
【図２】
2005279092.tif 000004
【図３】
2005279092.tif 000005
【図４】
2005279092.tif 000006
【図５】
2005279092.tif 000007
【図６】
2005279092.tif 000008
【図７】
2005279092.tif 000009
【図８】
2005279092.tif 000010
【図９】
2005279092.tif 000011
【図１０】
2005279092.tif 000012